【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
中間転写体と、前記中間転写体に複数色のトナーを順次重ねて形成する像形成手段と、を有し、前記中間転写体上の複数色のトナーは転写材上へ転写される画像形成装置において、
前記中間転写体上に最終色のトナーが転写された後、前記中間転写体上の前記複数色のトナーが転写材上に転写される前において、前記中間転写体上に形成された前記複数色のトナーのうち前記最終色のトナーと異なる色のトナーの単位重量あたりの帯電電荷量が、前記最終色のトナーの単位重量あたりの帯電電荷量の０．５〜１．５倍となるように、前記像形成手段が前記異なる色のトナーを帯電することを特徴とする画像形成装置。
【請求項２】
前記像形成手段は、トナーを担持する像担持体と、前記像担持体上にトナーを形成する現像手段と、を有し、前記現像手段上の最初の色のトナーのトナーの単位重量あたりの帯電電荷量は、前記最初の色の次色以降のトナーの単位重量あたりの帯電電荷量よりも小さいことを特徴とする請求項１に記載の画像形成装置。
【請求項３】
トナーを担持する像担持体と、前記像担持体上にトナーを形成する現像手段と、前記像担持体からトナーの転写を受けてトナーを担持する中間転写体と、前記像担持体上のトナーを前記中間転写体に順次重ねて静電的に転写する転写手段と、を有し、前記中間転写体上の複数色のトナーは転写材へ転写される画像形成装置において、
前記現像手段上の最終色のトナーの単位重量あたりの帯電電荷量は、前記現像手段上の最初の色のトナーの単位重量あたりの帯電電荷量の１．５〜４．０倍であり、前記像担持体上から前記中間転写体上に転写された前記最初の色のトナーが前記転写手段により所定回数帯電された後の単位重量あたりの帯電電荷量との差は、前記像担持体上から前記中間転写体上に転写された前記最終色のトナーが前記転写手段により所定回数帯電された後の単位重量あたりの帯電電荷量と前記現像手段上の前記最終色のトナーの単位重量あたりの帯電電荷量との差よりも小さいことを特徴とする画像形成装置。
【請求項４】
前記像担持体上から前記中間転写体上に転写された前記最初の色のトナーが前記転写手段により所定回数帯電された後の単位重量あたりの帯電電荷量と、前記現像手段上の前記最初の色の単位重量あたりの帯電電荷量との差は、前記像担持体から前記中間転写体に転写された前記次色以降のトナーが前記転写手段により所定回数帯電された後の単位重量あたりの帯電電荷量と、前記現像手段上の前記最終色のトナーの単位重量あたりの帯電電荷量との差よりも小さいことを特徴とする請求項３に記載の画像形成装置。
【請求項５】
前記中間転写体上に前記最終色のトナーが転写された後、前記中間転写体上の前記複数色のトナーが転写材に転写される前において、前記中間転写体上に転写された前記最初の色の次色以降のトナーの単位重量あたりの帯電電荷量は、前記最終色のトナーの単位重量あたりの帯電電荷量の０．５〜１．５倍であることを特徴とする請求項４に記載の画像形成装置。
【請求項６】
前記最初の色のトナーの単位重量あたりの飽和帯電量は、前記最初の色の次色以降のトナーの単位重量あたりの飽和帯電量よりも小さいことを特徴とする請求項１から５のいずれか１項に記載の画像形成装置。
【手続補正２】
【補正対象書類名】明細書
【補正対象項目名】００２２
【補正方法】変更
【補正の内容】
【００２２】
【課題を解決するための手段】
上述の目的を達成するための、請求項１に係る発明は、中間転写体と、前記中間転写体に複数色のトナーを順次重ねて形成する像形成手段と、を有し、前記中間転写体上の複数色のトナーは転写材上へ転写される画像形成装置において、前記中間転写体上に最終色のトナーが転写された後、前記中間転写体上の前記複数色のトナーが転写材上に転写される前において、前記中間転写体上に形成された前記複数色のトナーのうち前記最終色のトナーと異なる色のトナーの単位重量あたりの帯電電荷量が、前記最終色のトナーの単位重量あたりの帯電電荷量の０．５〜１．５倍となるように、前記像形成手段が前記異なる色のトナーを帯電することを特徴とする。
【手続補正３】
【補正対象書類名】明細書
【補正対象項目名】００２３
【補正方法】変更
【補正の内容】
【００２３】
請求項２に係る発明は、請求項１に記載の画像形成装置において、前記像形成手段は、トナーを担持する像担持体と、前記像担持体上にトナーを形成する現像手段と、を有し、前記現像手段上の最初の色のトナーのトナーの単位重量あたりの帯電電荷量は、前記最初の色の次色以降のトナーの単位重量あたりの帯電電荷量よりも小さいことを特徴とする。
【手続補正４】
【補正対象書類名】明細書
【補正対象項目名】００２４
【補正方法】変更
【補正の内容】
【００２４】
請求項３に係る発明は、トナーを担持する像担持体と、前記像担持体上にトナーを形成する現像手段と、前記像担持体からトナーの転写を受けてトナーを担持する中間転写体と、前記像担持体上のトナーを前記中間転写体に順次重ねて静電的に転写する転写手段と、を有し、前記中間転写体上の複数色のトナーは転写材へ転写される画像形成装置において、前記現像手段上の最終色のトナーの単位重量あたりの帯電電荷量は、前記現像手段上の最初の色のトナーの単位重量あたりの帯電電荷量の１．５〜４．０倍であり、前記像担持体上から前記中間転写体上に転写された前記最初の色のトナーが前記転写手段により所定回数帯電された後の単位重量あたりの帯電電荷量との差は、前記像担持体上から前記中間転写体上に転写された前記最終色のトナーが前記転写手段により所定回数帯電された後の単位重量あたりの帯電電荷量と前記現像手段上の前記最終色のトナーの単位重量あたりの帯電電荷量との差よりも小さいことを特徴とする。
【手続補正５】
【補正対象書類名】明細書
【補正対象項目名】００２５
【補正方法】変更
【補正の内容】
【００２５】
請求項４に係る発明は、請求項３に記載の画像形成装置において、前記像担持体上から前記中間転写体上に転写された前記最初の色のトナーが前記転写手段により所定回数帯電された後の単位重量あたりの帯電電荷量と、前記現像手段上の前記最初の色の単位重量あたりの帯電電荷量との差は、前記像担持体から前記中間転写体に転写された前記次色以降のトナーが前記転写手段により所定回数帯電された後の単位重量あたりの帯電電荷量と、前記現像手段上の前記最終色のトナーの単位重量あたりの帯電電荷量との差よりも小さいことを特徴とする。
【手続補正６】
【補正対象書類名】明細書
【補正対象項目名】００２６
【補正方法】変更
【補正の内容】
【００２６】
請求項５に係る発明は、請求項４に記載の画像形成装置において、前記中間転写体上に前記最終色のトナーが転写された後、前記中間転写体上の前記複数色のトナーが転写材に転写される前において、前記中間転写体上に転写された前記最初の色の次色以降のトナーの単位重量あたりの帯電電荷量は、前記最終色のトナーの単位重量あたりの帯電電荷量の０．５〜１．５倍であることを特徴とする。
【手続補正７】
【補正対象書類名】明細書
【補正対象項目名】００２７
【補正方法】変更
【補正の内容】
【００２７】
請求項６に係る発明は、請求項１から５のいずれか１項に記載の画像形成装置において、前記最初の色のトナーの単位重量あたりの飽和帯電量は、前記最初の色の次色以降のトナーの単位重量あたりの飽和帯電量よりも小さいことを特徴とする。
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】